(57)【特許請求の範囲】
【請求項１】
内周面に螺旋溝が形成された外筒部と、
前記外筒部内に軸線方向に移動不能でかつ軸線回りに回転自在に配設されるとともに、軸線方向に延びる案内孔が形成された内筒部と、
前記内筒部内に軸線方向に沿って昇降自在に配設されるとともに、前記案内孔を通して前記螺旋溝に係合する被案内突起、および棒状内容物が上方に向けて立設される支持皿を備えた昇降部材と、を備える繰出容器であって、
前記昇降部材は、
前記支持皿から下方に向けて延設された雄ねじ筒部と、
前記雄ねじ筒部に螺着されるとともに、前記支持皿より上方に位置する部分内に棒状内容物の下端部が配置される雌ねじ筒部と、
を備え、
前記昇降部材が、前記内筒部に対して上昇端位置に位置したときに、前記雌ねじ筒部が前記外筒部および前記内筒部から上方に突出し、
前記雌ねじ筒部は、前記雄ねじ筒部に対して軸線回りに回転したときに、前記雄ねじ筒部に対して相対的に下降し、
前記昇降部材は、前記雄ねじ筒部から下方に向けて延設されるとともに、前記雄ねじ筒部より大径に形成され、前記内筒部内に摺動自在に嵌合された摺動筒部を備え、
前記摺動筒部および前記雄ねじ筒部は一体に形成され、
前記雌ねじ筒部の下端縁は、前記摺動筒部と前記雄ねじ筒部との連結部分から上方に離間しており、
前記雌ねじ筒部が、前記雄ねじ筒部に対して相対的に下降端位置に位置したときに、棒状内容物の下端部が前記雌ねじ筒部から外部に露呈し、かつ前記雌ねじ筒部の下端縁が、前記摺動筒部と前記雄ねじ筒部との連結部分に係止されることを特徴とする繰出容器。
【発明の詳細な説明】
【技術分野】
【０００１】
本発明は、繰出容器に関するものである。
【背景技術】
【０００２】
従来から、内周面に螺旋溝が形成された外筒部と、外筒部内に軸線方向に移動不能でかつ軸線回りに回転自在に配設されるとともに、軸線方向に延びる第１、第２案内孔が形成された内筒部と、内筒部内に軸線方向に沿って昇降自在に配設されるとともに、軸線方向に延びる補助ガイド孔、および第１案内孔に摺動自在に係合する第１案内突起が形成された筒状のスカート部と、スカート部内に軸線方向に沿って昇降自在に配設され、棒状内容物が上方に向けて立設される支持皿と補助ガイド孔および第２案内孔を通して螺旋溝に係合する第２案内突起とを備える昇降部材と、を備え、補助ガイド孔に、幅小部と、幅小部を軸線方向に挟む両側に位置する幅広部と、が形成され、第２案内突起は、補助ガイド孔のうち、幅小部の下方に位置する幅広部に配置された繰出容器が知られている。
この繰出容器では、外筒部と内筒部とを軸線回りに相対的に回転させると、第１案内突起が第１案内孔の上部係止部に係止されるまでは、昇降部材がスカート部とともに内筒部内を上昇し、第１案内突起が第１案内孔の上部係止部に係止された後は、第２案内突起が補助ガイド孔の幅小部に圧縮状態で摺接しつつ幅小部を上方に乗り越えることによって、昇降部材のみが上昇し、支持皿上の棒状内容物の下端部が外筒部から上方に露出する。
【先行技術文献】
【特許文献】
【０００３】
【特許文献１】特許第３５１０３５４号公報
【発明の概要】
【発明が解決しようとする課題】
【０００４】
しかしながら、前記従来の繰出容器では、第１案内突起が第１案内孔の上部係止部に係止された後、つまり、棒状内容物の残量が少なくなり、支持皿上の棒状内容物の下端部を外筒部から上方に露出させる際に、第２案内突起を補助ガイド孔の幅小部に圧縮状態で摺接させることで、第２案内突起により補助ガイド孔の幅小部を押し広げていたため、大きな力を要していた。
【０００５】
本発明は、このような事情を考慮してなされたもので、支持皿上の棒状内容物の下端部を、より少ない力で外部に露呈させることができる繰出容器を提供することを目的とする。
【課題を解決するための手段】
【０００６】
上記課題を解決して、このような目的を達成するために、本発明の繰出容器は、内周面に螺旋溝が形成された外筒部と、前記外筒部内に軸線方向に移動不能でかつ軸線回りに回転自在に配設されるとともに、軸線方向に延びる案内孔が形成された内筒部と、前記内筒部内に軸線方向に沿って昇降自在に配設されるとともに、前記案内孔を通して前記螺旋溝に係合する被案内突起、および棒状内容物が上方に向けて立設される支持皿を備えた昇降部材と、を備える繰出容器であって、前記昇降部材は、前記支持皿から下方に向けて延設された雄ねじ筒部と、前記雄ねじ筒部に螺着されるとともに、前記支持皿より上方に位置する部分内に棒状内容物の下端部が配置される雌ねじ筒部と、を備え、前記昇降部材が、前記内筒部に対して上昇端位置に位置したときに、前記雌ねじ筒部が前記外筒部および前記内筒部から上方に突出し、前記雌ねじ筒部は、前記雄ねじ筒部に対して軸線回りに回転したときに、前記雄ねじ筒部に対して相対的に下降し、前記昇降部材は、前記雄ねじ筒部から下方に向けて延設されるとともに、前記雄ねじ筒部より大径に形成され、前記内筒部内に摺動自在に嵌合された摺動筒部を備え、前記摺動筒部および前記雄ねじ筒部は一体に形成され、前記雌ねじ筒部の下端縁は、前記摺動筒部と前記雄ねじ筒部との連結部分から上方に離間しており、前記雌ねじ筒部が、前記雄ねじ筒部に対して相対的に下降端位置に位置したときに、棒状内容物の下端部が前記雌ねじ筒部から外部に露呈し、かつ前記雌ねじ筒部の下端縁が、前記摺動筒部と前記雄ねじ筒部との連結部分に係止されることを特徴とする。
【０００７】
本発明によれば、外筒部および内筒部を軸線回りに相対的に回転させると、被案内突起が案内孔内および螺旋溝内を摺動することで、昇降部材が内筒部内を上昇する。これにより、棒状内容物の外筒部および内筒部からの突出量が調整され、棒状内容物が上端部から使用される。
そして、棒状内容物の残量が少なくなり、雌ねじ筒部からの突出量が無くなったり短くなったりしたときに、昇降部材を内筒部に対して上昇端位置に位置させると、雌ねじ筒部が外筒部および内筒部から上方に突出して外部に露呈されるので、雌ねじ筒部を指で摘まむなど外部から操作することが可能になる。
これにより、雌ねじ筒部を雄ねじ筒部に対して軸線回りに回転させ、雌ねじ筒部を雄ねじ筒部に対して相対的に下降させると、棒状内容物の下端部が雌ねじ筒部から外部に露呈され、棒状内容物の下端部を容易に使用することができる。
以上のように、棒状内容物の下端部を雌ねじ筒部から外部に露呈させる際に、雌ねじ筒部と雄ねじ筒部との螺合を利用するので、この際に雌ねじ筒部に加える必要のある力が過度に高くなるのを防ぐことができる。
【０００９】
また、雌ねじ筒部が、雄ねじ筒部に対して相対的に下降端位置に位置したときに、棒状内容物の下端部が雌ねじ筒部から外部に露呈し、かつ雌ねじ筒部の下端縁が、摺動筒部と雄ねじ筒部との連結部分に係止されるので、雌ねじ筒部の雄ねじ筒部に対する相対的な下降端位置を容易に認識させることができる。
【発明の効果】
【００１０】
本発明によれば、支持皿上の棒状内容物の下端部を、より少ない力で外部に露呈させることができる。
【図面の簡単な説明】
【００１１】
【図１】本発明に係る第１実施形態として示した繰出容器において、昇降部材が内筒部に対して下降端位置に位置した状態を示す縦断面図である。
【図２】本発明に係る第１実施形態として示した繰出容器において、昇降部材が内筒部に対して上昇端位置に位置した状態を示す縦断面図である。
【図３】図２に示す繰出容器において、雌ねじ筒部が雄ねじ筒部に対して下降端位置に位置した状態を示す図である。
【図４】本発明に係る第２実施形態として示した繰出容器において、昇降部材が内筒部に対して下降端位置に位置した状態を示す縦断面図である。
【図５】本発明に係る第２実施形態として示した繰出容器において、昇降部材が内筒部に対して上昇端位置に位置した状態を示す縦断面図である。
【図６】図５に示す繰出容器において、雄ねじ筒部が雌ねじ筒部に対して上昇端位置に位置した状態を示す図である。
【発明を実施するための形態】
【００１２】
以下、図面を参照し、本発明の第１実施形態に係る繰出容器１について説明する。
本実施形態の繰出容器１は、図１に示されるように、内周面に螺旋溝１１が形成された外筒部１２と、外筒部１２内に軸線Ｏ方向に移動不能でかつ軸線Ｏ回りに回転自在に配設されるとともに、軸線Ｏ方向に延びる案内孔１３が形成された内筒部１４と、内筒部１４内に軸線Ｏ方向に沿って昇降自在に配設された筒状の昇降部材１７と、を備えている。
【００１３】
外筒部１２は、有底筒状の化粧筒１８と、化粧筒１８内に固定状態で嵌合された螺旋筒１９と、を備え、螺旋筒１９の内周面に一対の螺旋溝１１が形成されている。螺旋溝１１は、螺旋筒１９の内周面において、軸線Ｏを径方向に挟む両側に位置する部分に各別に形成されている。化粧筒１８の内周面および螺旋筒１９の外周面には、互いに係合し、化粧筒１８および螺旋筒１９の相対的な軸線Ｏ回りの回転移動を規制する規制部が形成されている。
ここで、外筒部１２、内筒部１４および昇降部材１７は軸線Ｏと同軸に配設されている。以下、軸線Ｏ方向に沿って、外筒部１２における化粧筒１８の底部側を下側といい、これとは反対側を上側といい、軸線Ｏ方向から見た平面視において、軸線Ｏに直交する方向を径方向といい、軸線Ｏ回りに周回する方向を周方向という。
【００１４】
内筒部１４は、化粧筒１８の底部から上方に向けて延在し、外筒部１２より上方に突出している。案内孔１３は、内筒部１４に一対形成されるとともに、内筒部１４を径方向に貫いている。案内孔１３は、内筒部１４において、軸線Ｏを径方向に挟む両側に位置する部分に各別に形成されている。案内孔１３の上端部には、周方向に延びる係止孔が接続されており、この係止孔に後述する被案内突起１６が進入することで、昇降部材１７の、内筒部１４および外筒部１２に対するこれ以上の上昇移動が規制される。
【００１５】
ここで、螺旋筒１９の上端は、化粧筒１８の上端より下方に位置している。化粧筒１８の上端部には、螺旋筒１９および内筒部１４の、化粧筒１８に対する上昇移動を規制する押えリング２１が装着されている。押えリング２１のうち、下部は、化粧筒１８の上端部内に嵌合され、上部は、化粧筒１８から上方に突出している。この押えリング２１の上部に、棒状内容物Ｘおよび内筒部１４を覆うオーバーキャップ２７が着脱自在に外嵌されている。
【００１６】
昇降部材１７は、棒状内容物Ｘが上方に向けて立設される支持皿１５と、案内孔１３を通して螺旋溝１１に係合する前述の被案内突起１６と、支持皿１５から下方に向けて延設された雄ねじ筒部２２と、雄ねじ筒部２２に螺着される雌ねじ筒部２３と、を備えている。
本実施形態では、昇降部材１７は、雄ねじ筒部２２から下方に向けて延設されるとともに、雄ねじ筒部２２より大径に形成され、内筒部１４内に摺動自在に嵌合された摺動筒部２４を備えている。摺動筒部２４、雄ねじ筒部２２、支持皿１５、および被案内突起１６は一体に形成され、被案内突起１６は、摺動筒部２４に径方向の外側に向けて一対突設されている。被案内突起１６は、摺動筒部２４の外周面において、軸線Ｏを径方向に挟む両側に位置する部分に各別に配設されている。また、摺動筒部２４と雄ねじ筒部２２との連結部分１７ａは、表裏面が軸線Ｏ方向を向くフランジ状に形成されている。
【００１７】
支持皿１５は、軸線Ｏと同軸に配設された環状に形成され、その内周縁部に、上方に向かうに従い漸次、径方向の外側に向けて延在し、棒状内容物Ｘの下端面を突き刺す突き刺し筒部２５が全周にわたって連続的にまたは間欠的に配設されている。支持皿１５は、昇降部材１７が内筒部１４および外筒部１２に対して下降端位置に位置しているときに、図１に示されるように、内筒部１４の上端縁より下方に位置している。
【００１８】
雄ねじ筒部２２の外周面に雄ねじ部が形成されている。雄ねじ筒部２２と内筒部１４の内周面との間には、径方向の隙間が設けられている。
雌ねじ筒部２３は、内筒部１４内に摺動自在に嵌合されている。雌ねじ筒部２３は、内周面に雄ねじ筒部２２の雄ねじ部に螺合する雌ねじ部が形成された下筒部２３ａと、支持皿１５より上方に位置し、内側に棒状内容物Ｘの下端部が配置されるホルダ部２３ｂと、を備えている。
図示の例では、ホルダ部２３ｂ内に棒状内容物Ｘの下端部が固定状態で嵌合されている。ホルダ部２３ｂは、昇降部材１７が内筒部１４および外筒部１２に対して下降端位置に位置しているときに、図１に示されるように、内筒部１４の上端縁より下方に位置している。下筒部２３ａは、雄ねじ筒部２２と内筒部１４の内周面との間の径方向の隙間に配置されている。
なお、ホルダ部２３ｂの外周面に、雌ねじ筒部２３の後述する操作時に指が滑るのを抑制するために、例えばローレット加工等の滑り止め加工が施されている。また、ホルダ部２３ｂの内周面に、棒状内容物Ｘを保持するための環状突部を設けてもよい。
【００１９】
雌ねじ筒部２３の下端縁は、摺動筒部２４と雄ねじ筒部２２との連結部分１７ａから上方に離間しており、雌ねじ筒部２３は、雄ねじ筒部２２に対して軸線Ｏ回りに回転したときに、雄ねじ筒部２２に対して下降する。そして、雌ねじ筒部２３が、図３に示されるように、雄ねじ筒部２２に対して下降端位置に位置したときに、棒状内容物Ｘの下端部が雌ねじ筒部２３から外部に露呈し、かつ雌ねじ筒部２３の下端縁が、摺動筒部２４と雄ねじ筒部２２との連結部分１７ａに係止される。さらにこの際、ホルダ部２３ｂの上部は、内筒体１４および外筒部１２に対して上方に突出している。
【００２０】
以上の構成において、外筒部１２および内筒部１４を軸線Ｏ回りに相対的に回転させると、被案内突起１６が案内孔１３内および螺旋溝１１内を摺動することで、昇降部材１７が内筒部１４内を上昇する。これにより、棒状内容物Ｘの、外筒部１２および内筒部１４からの突出量が調整され、棒状内容物Ｘが上端部から使用される。
そして、被案内突起１６が、案内孔１３の上端部に連なる前記係止孔に進入したときに、昇降部材１７の、内筒部１４および外筒部１２に対するこれ以上の上昇移動が規制される。
このようにして、昇降部材１７が、内筒部１４および外筒部１２に対して上昇端位置に位置したときに、図２に示されるように、雌ねじ筒部２３のホルダ部２３ｂ、および支持皿１５が、外筒部１２および内筒部１４から上方に突出する。さらにこの際、雌ねじ筒部２３の下筒部２３ａが、雄ねじ筒部２２と内筒部１４の内周面との間の径方向の隙間内に位置していて、雄ねじ筒部２２および内筒部１４により径方向の両側から支持される。
【００２１】
以上説明したように、本実施形態による繰出容器１によれば、棒状内容物Ｘの残量が少なくなり、雌ねじ筒部２３からの突出量が無くなったり短くなったりしたときに、昇降部材１７を内筒部１４に対して上昇端位置に位置させると、雌ねじ筒部２３が外筒部１２および内筒部１４から上方に突出して外部に露呈されるので、雌ねじ筒部２３を指で摘まむなど外部から操作することが可能になる。
これにより、雌ねじ筒部２３を雄ねじ筒部２２に対して軸線Ｏ回りに回転させ、雌ねじ筒部２３を雄ねじ筒部２２に対して下降させると、棒状内容物Ｘの下端部が雌ねじ筒部２３から外部に露呈され、棒状内容物Ｘの下端部を容易に使用することができる。
以上のように、棒状内容物Ｘの下端部を雌ねじ筒部２３から外部に露呈させる際に、雌ねじ筒部２３と雄ねじ筒部２２との螺合を利用するので、この際に雌ねじ筒部２３に加える必要のある力が過度に高くなるのを防ぐことができる。
【００２２】
また、雌ねじ筒部２３が、雄ねじ筒部２２に対して下降端位置に位置したときに、棒状内容物Ｘの下端部が雌ねじ筒部２３から外部に露呈し、かつ雌ねじ筒部２３の下端縁が、摺動筒部２４と雄ねじ筒部２２との連結部分１７ａに係止されるので、雌ねじ筒部２３の雄ねじ筒部２２に対する下降端位置を容易に認識させることができる。
【００２３】
次に、本発明の第２実施形態に係る繰出容器２について説明するが、第１実施形態と同一の部位には同一の符号を付してその説明を省略し、異なる部分についてのみ説明する。
【００２４】
本実施形態の繰出容器２における昇降部材３１では、摺動筒部３２が、雄ねじ筒部２２、および支持皿１５と別体になっている。
摺動筒部３２の外周面に被案内突起１６が突設されている。また、摺動筒部３２の内周面に、径方向の内側に向けて突出する案内突部３３が周方向に間隔をあけて複数形成されている。図示の例では、案内突部３３は、摺動筒部３２の内周面に２つ形成され、径方向で互いに対向している。なお、支持皿１５は、摺動筒部３２の上端より上方に位置している。
【００２５】
ここで、雄ねじ筒部２２には、案内筒部３４が下方に向けて延設されている。案内筒部３４には、軸線Ｏ方向に延びる縦孔３４ａが周方向に間隔をあけて複数形成されている。縦孔３４ａは、案内筒部３４を径方向に貫くとともに下方に向けて開口している。縦孔３４ａに、摺動筒部３２の案内突部３３が軸線Ｏ方向に移動自在に挿入されている。なお、案内突部３３上に雄ねじ筒部２２の下端縁が支持されている。また、雄ねじ筒部２２と内筒部１４の内周面との間の径方向の隙間に、摺動筒部３２、および雌ねじ筒部３５の下筒部３６が配置されている。
【００２６】
雌ねじ筒部３５の下筒部３６において、内周面に雄ねじ筒部２２の雄ねじ部が螺合する雌ねじ部が形成され、外周面に径方向の外側に向けて突出する係合突部３６ａが形成されている。係合突部３６ａは、摺動筒部３２の上端部内に軸線Ｏ回りに回転自在に嵌合され、かつ摺動筒部３２の上端部の内周面に形成された上係止突部３２ａと下係止段部３２ｂとにより軸線Ｏ方向に挟まれている。これにより、雌ねじ筒部３５が、摺動筒部３２の上端部内に、軸線Ｏ方向に移動不能にかつ軸線Ｏ回りに回転自在に嵌合されている。
雌ねじ筒部３５は、雄ねじ筒部２２の上端部に螺着されており、雌ねじ筒部３５を、雄ねじ筒部２２に対して軸線Ｏ回りに回転させると、雄ねじ筒部２２が、雌ねじ筒部３５および摺動筒部３２に対して上昇する。
【００２７】
以上の構成において、昇降部材３１が、内筒部１４に対して上昇端位置に位置すると、図５に示されるように、雌ねじ筒部３５のホルダ部２３ｂ、および支持皿１５が、外筒部１２および内筒部１４から上方に突出し、雌ねじ筒部３５の下筒部３６が、雄ねじ筒部２２と内筒部１４の内周面との間の径方向の隙間内に位置していて、雄ねじ筒部２２と内筒部１４および摺動筒部３２とにより径方向の両側から支持される。
さらに、雄ねじ筒部２２が、図６に示されるように、雌ねじ筒部３５および摺動筒部３２に対して上昇端位置に位置したときに、棒状内容物Ｘの下端部が雌ねじ筒部３５から外部に露呈する。
【００２８】
以上説明したように、本実施形態による繰出容器２によれば、第１実施形態の繰出容器１と同様に、棒状内容物Ｘの下端部を雌ねじ筒部３５から外部に露呈させる際に、雌ねじ筒部３５と雄ねじ筒部２２との螺合を利用するので、この際に雌ねじ筒部３５に加える必要のある力が過度に高くなるのを防ぐことができる。
また、雌ねじ筒部３５が、摺動筒部３２の上端部内に、軸線Ｏ方向に移動不能にかつ軸線Ｏ回りに回転自在に嵌合されていて、雌ねじ筒部３５を雄ねじ筒部２２に対して軸線Ｏ回りに回転させたときに、雄ねじ筒部２２が雌ねじ筒部３５に対して上昇するので、昇降部材３１が内筒部１４に対して上昇端位置に位置した状態において、雄ねじ筒部２２の雌ねじ筒部３５に対する上昇移動量にかかわらず、雌ねじ筒部３５の、外筒部１２および内筒部１４からの上方に向けた突出量を常に一定に保つことが可能になり、操作性をより一層向上させることができる。
【００２９】
本発明は上記した実施の形態に限定されるものではなく、その趣旨を逸脱しない範囲で適宜変更可能である。
例えば、前記実施形態では、ホルダ部２３ｂ内に棒状内容物Ｘの下端部を固定状態で嵌合したが、棒状内容物Ｘをホルダ部２３ｂ内に遊嵌するなど適宜変更してもよい。
また、支持皿１５に突き刺し筒部２５を配設しなくてもよく、外筒部１２として、化粧筒１８および螺旋筒１９が一体に形成された構成を採用してもよい。
【００３０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３１】
１、２  繰出容器
１１  螺旋溝
１２  外筒部
１３  案内孔
１４  内筒部
１５  支持皿
１６  被案内突起
１７、３１  昇降部材
１７ａ    連結部分
２２  雄ねじ筒部
２３、３５  雌ねじ筒部
２４、３２  摺動筒部
Ｏ  軸線
Ｘ  棒状内容物
【図１】
0006461553.tif 000002
【図２】
0006461553.tif 000003
【図３】
0006461553.tif 000004
【図４】
0006461553.tif 000005
【図５】
0006461553.tif 000006
【図６】
0006461553.tif 000007